(57)【要約】【課題】  データ受信時の使い勝手を向上させるデータ通信装置を提供する。【解決手段】  データを受信する通信手段と、通信手段で受信したデータを報知する報知手段と、通信手段で受信したデータを分析する分析手段と、受信データを報知手段にて報知した際に、当該データに対するアクションを選択するアクション選択手段とを備え、アクション選択手段は、分析手段による受信データの分析結果に応じて、当該データに対して選択可能なアクションを設定する。【選択図】    図１
2007122438.tif 000002
【特許請求の範囲】
【請求項１】
データを受信する通信手段と、
前記通信手段で受信した前記データを報知する報知手段と、
前記通信手段で受信した前記データを分析する分析手段と、
前記データを前記報知手段にて報知した際に、前記分析手段による前記データの分析結果に応じて、前記データに対して選択可能な前記アクションを設定し、当該設定されたアクションを選択可能とするアクション選択手段と
を備えたことを特徴とするデータ通信装置。
【請求項２】
前記分析手段は、前記データが所定の第１条件を満たす場合に、当該データが悪質データであると判断し、
前記アクション選択手段は、前記分析手段により前記データが悪質データと判断された場合に、前記データを削除するアクションを優先的に選択可能とすることを特徴とする請求項１記載のデータ通信装置。
【請求項３】
前記分析手段は、前記データが所定の第２条件を満たす場合に、当該データが良質データであると判断し、
前記アクション選択手段は、前記分析手段により前記データが良質データと判断された場合、前記データを保存するアクション又は前記データに対して返答するアクションを優先的に選択可能とすることを特徴とする請求項１または２に記載のデータ通信装置。
【請求項４】
前記分析手段は、前記データが文書を有する場合に、当該文書に基づき分析することを特徴とする請求項１から３のいずれか一に記載のデータ通信装置。
【請求項５】
前記分析手段は、前記データがリンク先を有する場合に、当該リンク先を分析することを特徴とする請求項１から４のいずれか一に記載のデータ通信装置。
【請求項６】
前記アクション選択手段は、前記データが前記報知手段にて報知された際に、アクション動作を開始するための第１操作手段を有し、前記分析結果に応じて前記第１操作手段により動作が開始されるアクションを設定することを特徴とする請求項１から５のいずれか一に記載のデータ通信装置。
【請求項７】
前記アクション選択手段は、前記データが前記報知手段にて報知された際に、複数のアクション中から１つのアクションを選択操作する第２操作手段を有し、前記分析結果に応じて前記第２操作手段により選択操作可能な複数のアクションを設定することを特徴とする請求項１から６のいずれか一に記載のデータ通信装置。
【請求項８】
前記報知手段は、前記データを表示する表示部を有して構成され、
前記アクション選択手段は、前記データが前記表示部に表示された際に、前記分析手段による前記データの分析結果に応じて設定されるアクションを表示することを特徴とする請求項１から７のいずれか一に記載のデータ通信装置。
【請求項９】
前記報知手段は、前記データを報知する際に、前記分析手段にて分析された前記データの分析結果を報知することを特徴とする請求項１から８のいずれか一に記載のデータ通信装置。
【請求項１０】
通信手段にて受信されたデータを報知手段により報知し、前記データを報知した際に、当該データに対するアクションを選択可能とし、当該選択されたアクションの動作を行うデータ通信装置の制御方法であって、
前記通信手段にて受信された前記データを分析手段により分析し、
報知された前記データに対して選択可能なアクションを前記分析手段による分析結果に応じて設定することを特徴とするデータ通信装置制御方法。
【発明の詳細な説明】
【技術分野】
【０００１】
本発明は、受信した情報の内容に応じて、処理内容を設定するデータ通信装置及びデータ通信装置制御方法に関する。
【背景技術】
【０００２】
近年、電子メールの普及とブロードバンド化に伴い、受信者が不要と感じる迷惑メールや広告メールが無差別に送られてくることが多くなり、受信者は、全てのメールの内容を確認して、不要なメールについては削除する等の操作を行わなければならず、たいへん手間がかかるという問題がある。
このような問題を解決するために、入力されたメール文書を形態素解析してキーワードの集合にし、このキーワードの集合から当該メール文書の特徴を表す入力キーワードベクトルを生成し、予め記憶された参照用のキーワードベクトルと入力文書から得られたキーワードベクトルとの類似度を算出して、この類似度に基づき当該メール文書を不要か必要かを判定して選別することにより、文書の選別を高精度に行うことを可能にした文書フィルタリングシステムが知られている（例えば、特許文献１参照）。
【特許文献１】特開２００４−３４８５２３号公報
【発明の開示】
【発明が解決しようとする課題】
【０００３】
しかしながら、特許文献１に示す文書フィルタリングシステムにあっては、不要メールと必要メールの判別を行うのみであったため、受信者は、判別結果を参照して、次に行うべきアクションを行うことになるが、任意のアクションを行う場合の操作は、判別結果に関係なく同一であったため、使い勝手が悪いという問題がある。
【０００４】
本発明は、このような事情に鑑みてなされたもので、受信した情報の内容に応じて、次に行うべき処理内容を設定することができるデータ通信装置及びデータ通信装置制御方法を提供することを目的とする。
【課題を解決するための手段】
【０００５】
本発明は、データを受信する通信手段と、前記通信手段で受信した前記データを報知する報知手段と、前記通信手段で受信した前記データを分析する分析手段と、前記データを前記報知手段にて報知した際に、前記分析手段による前記データの分析結果に応じて、前記データに対して選択可能な前記アクションを設定し、当該設定されたアクションを選択可能とするアクション選択手段とを備えたことを特徴とする。
【０００６】
本発明は、前記分析手段は、前記データが所定の第１条件を満たす場合に、当該データが悪質データであると判断し、前記アクション選択手段は、前記分析手段により前記データが悪質データと判断された場合に、前記データを削除するアクションを優先的に選択可能とすることを特徴とする。
【０００７】
本発明は、前記分析手段は、前記データが所定の第２条件を満たす場合に、当該データが良質データであると判断し、前記アクション選択手段は、前記分析手段により前記データが良質データと判断された場合、前記データを保存するアクション又は前記データに対して返答するアクションを優先的に選択可能とすることを特徴とする。
【０００８】
本発明は、前記分析手段は、前記データが文書を有する場合に、当該文書に基づき分析することを特徴とする。
【０００９】
本発明は、前記分析手段は、前記データがリンク先を有する場合に、当該リンク先を分析することを特徴とする。
【００１０】
本発明は、前記アクション選択手段は、前記データが前記報知手段にて報知された際に、アクション動作を開始するための第１操作手段を有し、前記分析結果に応じて前記第１操作手段により動作が開始されるアクションを設定することを特徴とする。
【００１１】
本発明は、前記アクション選択手段は、前記データが前記報知手段にて報知された際に、複数のアクション中から１つのアクションを選択操作する第２操作手段を有し、前記分析結果に応じて前記第２操作手段により選択操作可能な複数のアクションを設定することを特徴とする。
【００１２】
本発明は、前記報知手段は、前記データを表示する表示部を有して構成され、前記アクション選択手段は、前記データが前記表示部に表示された際に、前記分析手段による前記データの分析結果に応じて設定されるアクションを表示することを特徴とする。
【００１３】
本発明は、前記報知手段は、前記データを報知する際に、前記分析手段にて分析された前記データの分析結果を報知することを特徴とする。
【００１４】
本発明は、通信手段にて受信されたデータを報知手段により報知し、前記データを報知した際に、当該データに対するアクションを選択可能とし、当該選択されたアクションの動作を行うデータ通信装置の制御方法であって、前記通信手段にて受信された前記データを分析手段により分析し、報知された前記データに対して選択可能なアクションを前記分析手段による分析結果に応じて設定することを特徴とする。
【発明の効果】
【００１５】
本発明によれば、受信したデータの内容を分析し、この分析結果に応じて、受信したデータに対するアクション選択時の選択可能アクションの内容を変更するようにしたため、受信したデータの内容に適したアクション選択を容易に行うことが可能になるという効果が得られる。
【発明を実施するための最良の形態】
【００１６】
以下、本発明の一実施形態によるデータ通信装置を図面を参照して説明する。ここでは、移動通信端末を本発明によるデータ通信装置の一例として説明する。図１は同実施形態の構成を示すブロック図である。この図において、符号１は、移動通信端末の処理動作を統括して制御する制御部である。符号２は、ダイヤルキー、ファンクションキー等から構成する入力部である。符号３は、液晶のディスプレイ装置等から構成する表示部である。符号４は、通信相手の装置（例えば、基地局装置）との間で無線通信を確立して情報通信を行う無線通信部である。符号５は、送信するべき情報を送信可能な信号に変換して無線通信部４へ受け渡す送信処理部である。符号６は、無線通信部４を介して受信した信号から受信情報へ変換する受信処理部である。符号７は、無線通信部４が確立した通信回線を介して、音声による通話を行う音声処理部であり、話者の音声を集音するマイク８と、通話相手の音声を発音するスピーカ９が接続される。
【００１７】
符号１０は、受信した情報について、形態素解析を実行し、解析結果を得る形態素解析部（分析手段）である。符号１１は、情報を記憶する記憶部であり、受信メール情報１２、解析結果情報１３、メニュー候補情報１４及び参照情報１５が記憶される。受信メール情報１２は、無線通信部４及び受信処理部６を介して受信した電子メールの情報である。解析結果情報１３は、形態素解析部１０が記憶部１１に記憶された受信メール情報１２を解析した結果の情報であり、受信メール情報１２のそれぞれについて、解析結果として「仲良しメール」（良質データ）、「迷惑メール」（悪質データ）、「その他のメール」のいずれかの情報からなる。メニュー候補情報１４は、受信メール情報１２毎の解析結果情報１３に応じて、表示部３に表示するべきメニュー項目候補の情報である。参照情報１５は、形態素解析部１０が受信メール情報１２を「仲良しメール」、「迷惑メール」、「その他のメール」のいずれかに分類するときに参照する情報であり、仲良しメール用参照情報と、迷惑メール用参照情報とが予め記憶されている。符号１６は、着信があった場合や電子メールを受信した場合に、着信音を発音させたり、振動を発生させたりして、着信またはメール受信をユーザに対して報知する着信報知部である。
【００１８】
次に、図２を参照して、図１に示す移動通信端末が電子メール受信を行う動作を説明する。図２は、図１に示す移動通信端末が電子メール受信を行う動作を示すフローチャートである。まず、受信処理部６は、無線通信部４を介して電子メールを受信した場合（ステップＳ１）、受信したメールの情報（メールの件名、送信者名、受信日時、メール本文等）に識別番号を付与して、受信メール情報１２として記憶部１１へ格納する（ステップＳ２）とともに、識別番号を含むメール受信通知を制御部１に対して出力する。制御部１は、メール受信の通知を受けると、形態素解析部１０に対して、受信メールを識別する識別番号を含む形態素解析指示を出力する。これを受けて、形態素解析部１０は、制御部１から指示された識別番号が付与された受信メール情報１２を読み出し、この受信メール情報１２に対して形態素解析を実行する（ステップＳ３）。このとき、形態素解析部１０は、記憶部１１に記憶されている仲良しメール用参照情報と、迷惑メール用参照情報とを読み出し、解析対象の受信メールの解析結果が、仲良しメール用参照情報と、迷惑メール用参照情報とのいずれかに類似してるかを判定することによって、受信メールの分類を行う。この判定の結果、仲良しメール用参照情報に類似していれば、解析対象の受信メールを「仲良しメール」と分類し、迷惑メール用参照情報に類似していれば、解析対象の受信メールを「迷惑メール」と分類する。そして、いずれにも類似していなければ「その他のメール」と分類する。
【００１９】
次に、形態素解析部１０は、得られた形態素解析による分類結果（「仲良しメール」、「迷惑メール」、「その他のメール」のいずれか）と受信メール情報１２に付与された識別番号と同じ識別番号を付与して、解析結果情報１３として記憶部１１へ保存する（ステップＳ４）。これにより、記憶部１１には、受信の度に異なる識別番号が付与された受信メール情報１２と、この受信メール情報１２に付与された識別番号と同じ識別番号が付与された解析結果情報１３が記憶されることになる。そして、制御部１は、着信報知部１６に対して、着信報知を指示する。これを受けて、着信報知部１６は、予め設定されている方法によって電子メール受信を報知する。また、着信報知部１６は、電子メール受信の報知メッセージを表示部３に表示させるとともに、当該受信メールに対する形態素解析による分析結果を報知メッセージに対応させて表示する。
【００２０】
次に、図５を参照して、メニュー候補情報１３について説明する。図５は、図１に示す記憶部１１に記憶されるメニュー候補情報１３の一例を示す図である。メニュー候補情報１３は、メールリスト表示メニューが選択され、メールリストを表示した場合に表示されるサブメニューのメニュー項目１３１と、メール本文表示メニューが選択され、メール本文を表示した場合に表示されるサブメニューのメニュー項目１３２とがそれぞれ記憶されいる。メールリスト表示時のサブメニュー項目１３１は、さらに、解析結果が仲良しメールであった場合のサブメニュー項目１３１ａと解析結果が迷惑メールであった場合のサブメニュー項目１３１ｂとがそれぞれ記憶されている。また、メール本文表示時のサブメニュー項目１３２は、さらに、解析結果が仲良しメールであった場合のサブメニュー項目１３２ａと解析結果が迷惑メールであった場合のサブメニュー項目１３２ｂとがそれぞれ記憶されている。各サブメニューの項目は、優先順位が高い順に予め記憶されている。例えば、メールリスト表示時においては、対象の受信メールが「仲良しメール」であった場合には、「表示」のサブメニューの優先順位が一番高く、「迷惑メール」であった場合は、「削除」のサブメニューの優先順位が一番高くなるように定義されている。同様に、メール本文表示時においては、表示対象の受信メールが「仲良しメール」であった場合には、「返信」のサブメニューの優先順位が一番高く、「迷惑メール」であった場合は、「削除」のサブメニューの優先順位が一番高くなるように定義されている。
【００２１】
なお、対象の受信メールが「その他のメール」であった場合は、標準のサブメニュー項目が予め決められた優先順位によって表示されることになるが、図５においては省略している。なお、受信メールが「その他のメール」であった場合にも、「仲良しメール」であった場合のサブメニューと同じとなるようにしてもよい。また、図５に示す各サブメニュー項目１３１ａ、１３１ｂ、１３２ａ、１３２ｂの優先順位は、ユーザが入力部２を操作して、変更できるようにしてもよい。
【００２２】
次に、図３を参照して、受信したメールの内容を表示する動作を説明する。図３は、受信したメールの内容を表示する動作を示すフローチャートである。まず、入力部２において、メールリスト表示のメニュー選択が行われた（ステップＳ１１、Ｓ１２）場合、制御部１は、記憶部１１から受信メール情報１２と解析結果情報１３とを読み出し、各受信メールの件名と形態素解析結果を関連付けて表示部３にリスト表示する（ステップＳ１３）。このとき、制御部１は、リスト上の１つの受信メールを選択するための選択カーソルも表示する。なお、入力部２、表示部３、選択カーソルを有してアクション選択手段が構成される。
【００２３】
次に、制御部１は、メールリストを表示した後に、入力部２におけるカーソル移動操作内容に応じて、表示部３に表示する選択カーソルを移動する（ステップＳ１４）。このとき、制御部１は、選択カーソルが合わせられた受信メールの形態素解析結果が何であるかを判定する（ステップＳ１５）。この判定の結果、「仲良しメール」であれば仲良しメールに関連付けられたメニュー項目候補１３１ａをメニュー候補情報１４から選択する（ステップＳ１６）。また、「迷惑メール」であれば迷惑メールに関連付けられたメニュー項目候補１３１ｂをメニュー候補情報１４から選択する（ステップＳ１７）。また、「その他のメール」であれば標準のメニュー項目候補をメニュー候補情報１４から選択する（ステップＳ１８）。そして、制御部１は、選択したメニュー項目候補をサブメニューとして表示部３のサブメニュー表示エリアに表示する（ステップＳ１９）。
【００２４】
図６、７にメールリスト表示時の表示部３の表示例を示す。図６に示すように、メールリストには、受信メールを識別する識別番号（「００１」）、受信日時（「０３／１３  ０９：００」）、送信者名（「山田  太郎」）、件名（「＞連絡」）、形態素解析結果３１、チェックボックス３２、及び文字色と背景色が反転している選択カーソル３３が表示される。また、画面下方のサブメニュー表示エリア３４ａ〜３４ｃには、選択カーソル３３が合わせられた受信メールの形態素解析結果に応じたメニュー（「表示」、「返信」、「メニュー」）が表示される。図６に示す例では、選択カーソル３３が仲良しメールに合わせられているため、記憶部１１のメニュー候補情報１４として記憶されているメニュー項目候補１３１ａのうち、優先順位の上位２つの候補（この例では、「表示」と「返信」）が直接選択可能なメニュー（ショートカットメニュー）として表示される。また、図７に示すように、選択カーソル３３を迷惑メールに合わせると、サブメニュー表示エリア３４ａ〜３４ｃには、記憶部１１のメニュー候補情報１４として記憶されているメニュー項目候補１３１ｂのうち、優先順位の上位２つの候補（この例では、「削除」と「迷惑登録（迷惑メール登録）」）が直接選択可能なメニュー（ショートカットメニュー）として表示される。
【００２５】
次に、制御部１は、入力部２における操作内容を読み取り（ステップＳ２０）、選択されたメニューが何であるかを判定する（ステップＳ２１）。この判定の結果、サブメニュー表示エリア３４ａ、３４ｂに対応した入力操作が行われたと判定した場合、サブメニュー表示エリア３４ａ、３４ｂに設定されたメニューの処理を実行する。例えば、解析結果が仲良しメールの場合、サブメニュー表示エリア３４ａに対応した入力操作が行われて、「表示」が選択された場合、メール本文の表示を実行する（ステップＳ２２）。このメール本文の表示処理の詳細については後述する。なお、サブメニュー表示エリア３４ａ、３４ｂに対応した入力操作が行われて、「表示」を除くその他のメニューが選択された場合、選択されたメニューに応じた処理を実行する。例えば、ショートカットメニューである「返信」が選択された場合、制御部１は、返信を行う処理を実行する。また、サブメニュー表示エリア３４ｃに対応した入力操作が行われて、サブメニューを表示する「メニュー」が選択された場合、表示部３に選択可能なメニュー項目候補の全てを、メニュー候補情報１４に定義されている優先順位に基づいて表示し、この中から選択されたメニューに応じた処理を実行する（ステップＳ２３）。ここで、メニュー項目候補の全てを表示する場合、優先順位に基づいて表示するようにしたため、選択カーソルの移動操作を最小限するにことが可能となる。一方、図示しないクリアキー等が入力操作されて「戻る」が選択された場合、制御部１は、受信メールの表示処理を終了する。
【００２６】
次に、図４を参照して、メール本文表示処理の詳細な動作を説明する。図４は、図３に示す受信メールの表示動作におけるメール本文表示処理の詳細な動作を示すフローチャートである。まず、制御部１は、メールリスト表示中にショートカットメニューである「表示」メニューが選択されたり、サブメニューのメニュー項目の中から「表示」メニューが選択されると、選択カーソルが合わされている受信メールの識別番号を特定し、この識別番号が付与されている受信メールの本文を記憶部１１から読み出して、表示部３へ表示する（ステップＳ３１）。そして、制御部１は、表示した受信メールの形態素解析結果が何であるかを判定する（ステップＳ３２）。この判定の結果、「仲良しメール」であれば仲良しメールに関連付けられたメニュー項目候補１３２ａをメニュー候補情報１４から選択する（ステップＳ３３）。また、「迷惑メール」であれば迷惑メールに関連付けられたメニュー項目候補１３２ｂをメニュー候補情報１４から選択する（ステップＳ３４）。また、「その他のメール」であれば標準のメニュー項目候補をメニュー候補情報１４から選択する（ステップＳ１８）。そして、制御部１は、選択したメニュー項目候補をサブメニューとして表示部３のサブメニュー表示エリアに表示する（ステップＳ３６）。
【００２７】
図８、９にメール本文表示時の表示部３の表示例を示す。図８は、図６に示す表示画面において、識別番号が「００１」である受信メールに選択カーソル３３を合わせ、「表示」を選択した場合に表示される表示画面の一例を示している。図８に示すように、メール本文表示時には、選択した受信メールのメールリスト表示時に表示される内容（受信メールを識別する識別番号（「００１」）、受信日時（「０３／１３  ０９：００」）、送信者名（「山田  太郎」）、件名（「＞連絡」）、形態素解析結果３１、チェックボックス３２）と受信メールの本文３５（「明日遊びに・・・・メールする。」）が表示される。また、画面下方のサブメニュー表示エリア３５ａ〜３５ｃには、メール本文が表示された受信メールの形態素解析結果に応じたメニュー（「返信」、「全員に返信」、「メニュー」）が表示される。図８に示す例では、表示した受信メールが仲良しメールであるため、メニュー項目候補１３２ａのうち、優先順位の上位２つの候補（この例では、「返信」と「全員に返信」）が直接選択可能なメニュー（ショートカットメニュー）として表示される。また、図９に示すように、表示した受信メールが迷惑メールである場合、サブメニュー表示エリア３５ａ〜３５ｃには、メニュー項目候補１３２ｂのうち、優先順位の上位２つの候補（この例では、「削除」と「迷惑登録（迷惑メール登録）」）が直接選択可能なメニューとして表示される。
【００２８】
次に、制御部１は、入力部２における操作内容を読み取り（ステップＳ３７）、選択されたメニューが何であるかを判定する（ステップＳ３８）。サブメニュー表示エリア３５ａ、３５ｂに対応した入力操作が行われたと判定した場合、このサブメニュー表示エリア３５ａ、３５ｂに設定したメニューの処理が実行される。また、サブメニュー表示エリア３５ｃに対応したサブメニューを表示する「メニュー」が選択された場合、表示部３に選択可能なメニュー項目候補の全てを、メニュー候補情報１４に定義されている優先順位に基づいて表示する。そして、何らかのメニューが選択された場合、制御部１は、選択されたメニューに応じた処理を実行し（ステップＳ３９）、図示しないクリアキー等が入力操作されて「戻る」が選択されるまで処理を繰り返す。そして、「戻る」が選択された場合、制御部１は、メール本文表示処理を終了し、メールリスト表示処理（図３ステップＳ１４）へ戻る。
【００２９】
なお、形態素解析部１０は、受信メール内に記述されたリンク先のＵＲＬの文字列を抽出し、この抽出したＵＲＬと記憶部１１の参照情報１５とを照合して、受信メールに対して「仲良しメール」、「迷惑メール」、「その他のメール」の分類を行うようにしてもよい。受信メールに含まれるリンク先が迷惑サイトや有害サイトに該当する場合にも、好適に処理（アクション）を行うことができる。
【００３０】
また、前述した説明においては、移動通信端末において受信したメールを「仲良し」、「迷惑」、「その他」に分類（分析）し、この分類結果（分析結果）に応じて、表示するメニューの内容を変更（設定）する例を説明したが、パソコン等を用いて、ウェブブラウザによってインターネットサイトの内容を表示した際に、表示するべき内容を分析し、この分析結果に応じてブラウザ内に表示するメニュー項目やメニューの表示位置等を変更（設定）するようにしてもよい。さらには、電話機に備えられた留守番電話機能において、録音されている音声を分析し、この分析に結果に応じて、録音内容の操作メニュー（削除、再生等）の表示を変更（設定）するようにしてもよい。また、内部のメモリに受信画像を記憶することが可能なＦＡＸ装置において、メモリに記憶されている画像を分析し、この分析に結果に応じて、記憶内容の操作メニュー（削除、印刷、保存等）の表示を変更（設定）するようにしてもよい。また、受信したメール（データ）の分析手法として、形態素解析以外の手法を用いてもよい。
【００３１】
このように、受信したデータを分析して、その分析結果に応じて、当該データに対して選択可能なアクション内容（処理内容）を変更（設定）するようにしたため、分析結果に対応したアクション（処理）を好適に選択することができる。また、悪質データ（迷惑メール等）の場合には、優先的に削除できるようにし、良質データ（仲良しメール等）の場合には、優先的に保存又は返答できるようにしたため、使い勝手を向上させることができる。また、文書を形態素解析などにより分析するようにしたため、受信データを適正に分析することができる。また、直接選択可能なショートカットメニューを選択することにより動作が開始されるアクションを受信メールの分析結果に応じて変更（設定）するようにしたため、分析結果に応じたアクションの動作開始を迅速に実行することができる。また、サブメニューの表示順を受信メールの分析結果に応じて変更（設定）するようにしたため、アクションの選択を容易に実行することができる。また、メールリスト表示時において、受信メールのデータの報知と共に、分析結果も関連付けて報知するようにしたため、分析結果を認識した上でアクションを選択することができ、使い勝手をより向上させることができる。また、受信メールそれぞれの分析結果に応じたアクションを表示するようにしたため、表示された選択可能なアクション内容を目視で確認することができ、アクションの選択を容易に行うことが可能になる。
【００３２】
なお、本発明の移動通信端末（携帯端末）は、移動通信を使用した携帯電話機や移動通信機能を有した携帯情報端末（ＰＤＡ）、モバイル端末、カーナビ装置などを含むものである。
【００３３】
なお、図１における処理部の機能を実現するためのプログラムをコンピュータ読み取り可能な記録媒体に記録して、この記録媒体に記録されたプログラムをコンピュータシステムに読み込ませ、実行することによりデータ通信装置の処理動作制御を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３５】
なお、上述した実施形態では、サブメニュー表示エリア３４ａ、３４ｂ、３５ａ、３５ｂにサブメニューのメニュー項目の中から優先順位の高い項目を順次設定するようにしたが、このサブメニューのメニュー項目の優先順位に関連なく任意の項目に設定（変更）されるようにしてもよい。また、メールリストやメール本文を表示したときに限らずに、電子メール受信後に、表示部に報知メッセージを表示しているとき等にも同様にメニュー項目が設定（変更）されるようにしてもよい。
【図面の簡単な説明】
【００３６】
【図１】本発明の一実施形態の構成を示すブロック図である。
【図２】図１に示す装置の動作を示すフローチャートである。
【図３】図１に示す装置の動作を示すフローチャートである。
【図４】図１に示す装置の動作を示すフローチャートである。
【図５】図１に示す記憶部１１に記憶されるメニュー候補情報１３の一例を示す説明図である。
【図６】図１に示す表示部３の表示例を示す説明図である。
【図７】図１に示す表示部３の表示例を示す説明図である。
【図８】図１に示す表示部３の表示例を示す説明図である。
【図９】図１に示す表示部３の表示例を示す説明図である。
【符号の説明】
【００３７】
１・・・制御部、２・・・入力部、３・・・表示部、４・・・無線通信部、５・・・送信処理部、６・・・受信処理部、７・・・音声処理部、８・・・マイク、９・・・スピーカ、１０・・・形態素解析部、１１・・・記憶部、１２・・・受信メール情報、１３・・・解析結果情報、１４・・・メニュー候補情報、１５・・・参照情報、１６・・・着信報知部
【図１】
2007122438.tif 000003
【図２】
2007122438.tif 000004
【図３】
2007122438.tif 000005
【図４】
2007122438.tif 000006
【図５】
2007122438.tif 000007
【図６】
2007122438.tif 000008
【図７】
2007122438.tif 000009
【図８】
2007122438.tif 000010
【図９】
2007122438.tif 000011